(57)【要約】【課題】  試料及び検出器を交換・点検する作業が容易にできる放射線遮蔽装置を提供する。【解決手段】  放射線遮蔽装置（１００）は、遮蔽材（ＬＢ）を有し測定試料（ＳＡ）を遮蔽材で覆う試料用放射線遮蔽部（５０）と、遮蔽材（ＬＢ）を有し試料用放射線遮蔽部に着脱可能に取り付けられる第１放射線遮蔽部（１０Ａ）を有している。試料用放射線遮蔽部と第１放射線遮蔽部との間に配置され測定試料からの放射線を検出する第１検出器（ＳＳ）と、試料用放射線遮蔽部及び第１放射線遮蔽部の外側に配置され第１検出器に接続され第１検出器を冷却するための冷媒を貯蔵する第１冷媒容器（ＮＴ）と、を備えることができる。【選択図】  図２
2008298574.tif 000002
【特許請求の範囲】
【請求項１】
測定試料からの放射線を検出する第１検出器と、前記第１検出器に接続され前記第１検出器を冷却するための冷媒を貯蔵する第１冷媒容器とを有する第１放射線検出装置を使用する放射線遮蔽装置において、
少なくとも１端面を除いて前記測定試料を覆う遮蔽材を有するとともに、前記１端面から外側に延びた遮蔽材を有する試料用放射線遮蔽部と、
遮蔽材を有し、前記試料用放射線遮蔽部の前記一端面に着脱可能に取り付けられる第１放射線遮蔽部とを備え、
前記第１検出器は、前記試料用放射線遮蔽部と第１放射線遮蔽部との間に配置され、外側に延びた前記遮蔽材により環境放射線から遮蔽されており、
前記第１冷媒容器は、前記試料用放射線遮蔽部及び第１放射線遮蔽部の外側に配置されることを特徴とする放射線遮蔽装置。
【請求項２】
前記試料用放射線遮蔽部を載置する中央テーブルと、
前記第１放射線遮蔽部を載置する移動テーブルと、
前記中央テーブルと前記移動テーブルとを結合する結合手段と、
を備えることを特徴とする請求項１に記載の放射線遮蔽装置。
【請求項３】
前記移動テーブルは前記第１放射線遮蔽部を載置する上段テーブルと第１放射線検出装置を摺動部材を介して載置する下段テーブルとを備えており、
前記第１放射線検出装置は、前記下段テーブルの摺動部材で摺動させられて搬送用に使用される搬送テーブルとの間で移設可能であることを特徴とする請求項２に記載の放射線遮蔽装置。
【請求項４】
前記第１放射線検出装置を載置し移動可能な検出装置載置テーブルを備え、
前記検出装置載置テーブルが前記移動テーブル内部に入り込むことを特徴とする請求項２に記載の放射線遮蔽装置。
【請求項５】
前記第１放射線検出装置を高さ方向に調整可能な支持台を備えることを特徴とする請求項３又は請求項４に記載の放射線遮蔽装置。
【請求項６】
前記放射線遮蔽装置は、前記第１放射線検出器とは別に、測定試料からの放射線を検出する第２検出器と、前記第２検出器に接続され前記第２検出器を冷却するための冷媒を貯蔵する第２冷媒容器とを有する第２放射線検出装置を使用し、
前記試料用放射線遮蔽部は、前記１端面の反対側の他端面から外側に延びた遮蔽材を有し、
遮蔽材を有し、前記他端面に着脱可能に取り付けられる第２放射線遮蔽部を備えることを特徴とする請求項１ないし請求項５のいずれか一項に記載の放射線遮蔽装置。
【請求項７】
前記試料用放射線遮蔽部は、前記測定試料を配置する第１位置と第２位置とを備え、
前記第１位置に前記測定試料を配置する際には前記第１位置と前記第２検出器との間に遮蔽板を配置し、
前記第２位置に前記測定試料を配置する際には前記第２位置と前記第１検出器との間に遮蔽板を配置することを特徴とする請求項６に記載の放射線遮蔽装置。
【発明の詳細な説明】
【技術分野】
【０００１】
この発明は放射能測定において、試料からの放射線漏洩を防止しかつ環境放射線を遮蔽する放射線遮蔽装置に関する。
【背景技術】
【０００２】
試料の放射能を測定する際には、例えば特許文献１では、試料からの放射線の漏洩による被曝防止と環境放射線の遮蔽とを行っている。そして特許文献１は,放射線検出器の内部に内部遮蔽体を設け、検出部と検出部の直ぐ後ろに設置すべきヘッドアンプを内部遮蔽体の測定対象側に設け、その他の増幅伝送回路等を内部遮蔽体の外側に設置して、遮蔽体全体の軽量化を図っている。
【０００３】
放射性医薬品の製造現場では、日常的に製造された医薬品に含まれる放射性同位元素を分析するために放射線のスペクトル（エネルギー分布）を測定する。放射性医薬品は特定の放射性物質を用いており、それらからの放射線のレベルは周辺の環境放射線に比べてきわめて高い。したがって、試料を検出部に近づけて測定すると、高いレベルの放射線のみを検出して弱いレベルの放射線を確実に検出することが困難となる。
【０００４】
特許文献１のような試料と検出部を鉛直方向に設置する垂直型では距離を十分に取ることができないため、放射性医薬品中の特定の放射性物質以外からの弱いレベルの放射線を確実に検出することができない。このため、放射性医薬品に使用される放射能測定装置は横置き型が採用されている。この放射能測定装置は試料から検出部までの全体を遮蔽材料で覆うため、大量の遮蔽材料を必要とする。通常は比較的安価な鉛ブロック（遮蔽ブロック）を積み重ねた後に金属板で周囲をカバーし遮蔽体としている。
【特許文献１】特開平０９−１０１３７２号公報
【発明の開示】
【発明が解決しようとする課題】
【０００５】
しかし、検出器を交換・点検する際には、金属板を外した上で鉛ブロックを一つずつ外さなければならず、半日の工程を必要とした。さらに鉛ブロック１個が約１１ｋｇの重さをもつため作業には危険を伴っていた。また、単に放射線遮蔽装置を分離するだけでは環境放射線の影響を受けずに検出器を遮蔽体から取り出すことは困難であった。
そこで本発明は、検出器を交換・点検する作業が鉛ブロックの積み下ろし作業なしに容易にできる放射線遮蔽装置を提供することで、上記課題を解決する。
【課題を解決するための手段】
【０００６】
第１の観点の放射線遮蔽装置は、測定試料からの放射線を検出する第１検出器と、第１検出器に接続され第１検出器を冷却するための冷媒を貯蔵する第１冷媒容器とを有する第１放射線検出装置を使用する放射線遮蔽装置において、少なくとも１端面を除いて測定試料を覆う遮蔽材を有するとともに、１端面から外側に延びた遮蔽材を有する試料用放射線遮蔽部と、遮蔽材を有し試料用放射線遮蔽部の一端面に着脱可能に取り付けられる第１放射線遮蔽部とを備え、第１検出器は、試料用放射線遮蔽部と第１放射線遮蔽部との間に配置され、外側に延びた遮蔽材により環境放射線から遮蔽されており、第１冷媒容器は試料用放射線遮蔽部及び第１放射線遮蔽部の外側に配置される。
この構成により、個々の放射線の遮蔽ブロックを積み重ねたり取り出したりすることなく、第１検出器を点検調整できる。第１検出器に接続され第１冷媒容器を外部に有しているため、試料用放射線遮蔽部に第１放射線遮蔽部を装着しても開口部が形成される。開口部が形成されていても第１検出器が環境放射線から遮蔽されているので、正確な放射線の測定が可能となる。
【０００７】
第２の観点の放射線遮蔽装置は、試料用放射線遮蔽部を載置する中央テーブルと、第１放射線遮蔽部を載置する移動テーブルと、中央テーブルと移動テーブルとを結合する結合手段と、を備える。
この構成により、試料用放射線遮蔽部と第１放射線遮蔽部との着脱が容易になるとともに、中央テーブルと移動テーブルとが結合することで測定試料と第１検出器との距離を正確にして放射線を測定することができる。その一方で、測定試料からの放射線が外部に漏れたり、外部からの環境放射線が第１検出器に入ったりすることがない。なお、移動テーブルには一段のみのテーブル及び二段以上を有する多段テーブルを含む。
【０００８】
第３の観点の放射線遮蔽装置の移動テーブルは、第２の観点において、第１放射線遮蔽部を載置する上段テーブルと第１放射線検出装置を摺動部材を介して載置する下段テーブルとを備えており、第１放射線検出装置は、下段テーブルの摺動部材で摺動させられて搬送用に使用される搬送テーブルとの間で移設可能である。
この構成により、第１放射線遮蔽部を移動テーブルから搬送テーブルへ移す際に又はその逆方向に移す際に、移動テーブルに摺動部材が設けられているので第１放射線検出装置を容易に移動させることができる。
【０００９】
第４の観点の放射線遮蔽装置は、第２の観点において、第１放射線検出装置を載置し移動可能な検出装置載置テーブルを備え、検出装置載置テーブルが移動テーブル内部に入り込む。
この構成により、移動テーブルとは別に検出装置載置テーブルを移動させることができる。そして、検出装置載置テーブルが移動テーブル内部に入り込むことで第１検出器を環境放射線から遮蔽することができる。
【００１０】
第５の観点の放射線遮蔽装置は、第３又は第４の観点において、第１放射線検出装置を高さ方向に調整可能な支持台を備える。
第５の観点の放射線遮蔽装置の構成により、第１検出器と測定すべき測定試料の測定中心とを結ぶ直線を水平にすることが可能となる。
【００１１】
第６の観点の放射線遮蔽装置は、第１放射線検出装置とは別に、測定試料からの放射線を検出する第２検出器と、第２検出器に接続され第２検出器を冷却するための冷媒を貯蔵する第２冷媒容器とを有する第２放射線検出装置を使用し、試料用放射線遮蔽部は１端面の反対側の他端面から外側に延びた遮蔽材を有し、遮蔽材を有し他端面に着脱可能に取り付けられる第２放射線遮蔽部を備える。
この構成により、第１放射線検出装置を調整などのために搬出しなくてはならない場合であっても、第２放射線検出装置をすぐに使用することができる。これによって、急遽第１冷媒容器に冷媒を充填しなければならなくなった場合でも、直ちに第２放射線検出装置を使用できる。このため放射性医薬品の生産・品質管理に与える影響を最小限とすることができる。
【００１２】
第７の観点の放射線遮蔽装置の試料用放射線遮蔽部は、第６の観点において、測定試料を配置する第１位置と第２位置とを備え、第１位置に測定試料を配置する際には第１位置と第２検出器との間に遮蔽板を配置し、第２位置に測定試料を配置する際には第２位置と第１検出器との間に遮蔽板を配置する。
第１０の観点の放射線遮蔽装置の構成により、第１検出器を使い第２検出器を使用しない場合には、第１位置と第２検出器との間に遮蔽板を入れることで第２検出器側に放射線が漏れないように、また第２検出器に影響を与えないようにすることが可能となる。
【発明の効果】
【００１３】
本発明の放射線遮蔽装置は、試料用放射線遮蔽部から第１放射線遮蔽部を簡易に迅速に切り離すことができる。この場合に個々の遮蔽ブロックを積み重ねたり取り外したりする必要がないため、操作者に与える負担が少なくて済む。さらに、環境放射線の影響を受けることなく放射線測定が可能であり、かつ検出器を簡単に放射線遮蔽装置から取り出すことができる。
【発明を実施するための最良の形態】
【００１４】
＜測定試料＞
本発明の放射線遮蔽装置１００で測定される測定試料ＳＡとして、［Ｆ−１８］ＦＤＧ溶液、［Ｇａ−６７］クエン酸ガリウム，［Ｔｌ−２０１］塩化タリウム溶液、［Ｔｃ−９９ｍ］ヒドロキシメチレンジホスホン酸テクネチウム溶液などの放射性医薬品が代表的である。これらは、医療現場に供給するため、日常的に生産されており製造される放射性医薬品の品質管理に放射線のスペクトル測定は欠かせない。
【００１５】
＜放射線検出器及びデュワー瓶の構成＞
測定試料ＳＡからの放射線のスペクトル測定には、マルチチャンネル型波高分析器と放射線検出器を組み合わせたシステムが使用される。放射線検出器の検出部として、高純度Ｇｅ検出器、Ｓｉ（Ｌｉ）検出器、ＮａＩシンチレータ、ＣｓＩ（Ｔｌ）シンチレータなどが使用可能である。本実施例では、性能の高い高純度Ｇｅ検出器を用いている。この高純度Ｇｅ検出器は測定時に液体窒素又は液体ヘリウムなどの冷媒で冷却する必要があり、デュワー瓶と冷却ロッドを介して接続されている。液体窒素などの冷媒は、高純度Ｇｅ検出器内のゲルマニウム半導体素子を冷却している。高純度Ｇｅ検出器ＳＳの先端には、エンドチャップが設けられその中にゲルマニウム半導体素子が設けられている。またゲルマニウム半導体素子からの信号を増幅するアンプなどが内部に格納されている。高純度Ｇｅ検出器ＳＳは、操作性などの観点からデュワー瓶ＮＴから冷却ロッドが９０度曲がった位置に取り付けられている。
【００１６】
デュワー瓶ＮＴは、液体窒素又は液体ヘリウムなどの冷媒を入れて低温を保つ装置であり、熱の流入を防ぐために真空や銀メッキで外部と熱遮断を図っている。なお、通常、測定試料ＳＡからの放射線を測定するために、高純度Ｇｅ検出器ＳＳを常温から所定温度まで冷却する。高純度Ｇｅ検出器ＳＳが安定した信号を出力するには冷却期間を数日要する。
【００１７】
一般に、高純度Ｇｅ検出器ＳＳの点検又は調整などで、高純度Ｇｅ検出器ＳＳを放射線遮蔽装置１００から外さなければならない場合がある。このような場合のため、本実施例の放射線遮蔽装置１００は２つの高純度Ｇｅ検出器ＳＳを備えており、一方の高純度Ｇｅ検出器ＳＳが使用できない場合であっても他方の高純度Ｇｅ検出器ＳＳをすぐに使用することができる。このため、測定試料ＳＡの測定ができない期間がきわめて短時間で済むため、放射性医薬品の品質試験には好適である。以下の実施例では、高純度Ｇｅ検出器ＳＳを使った例で説明する。
【００１８】
＜放射線遮蔽装置１００の概略＞
図１は、放射線遮蔽装置１００の斜視図であり、放射線遮蔽装置１００は中央に試料用放射線遮蔽部５０を配置し、その両端に第１放射線遮蔽部１０Ａと第２放射線遮蔽部１０Ｂとを配置している。また、図２（ａ）は放射線遮蔽装置１００の上面図であり、図２（ｂ）は一部を切り欠いた正面図である。図１及び図２では、第１放射線遮蔽部１０Ａ及び第２放射線遮蔽部１０Ｂが試料用放射線遮蔽部５０から切り離された状態を示している。また、図３は第１放射線遮蔽部１０Ａ及び第２放射線遮蔽部１０Ｂが試料用放射線遮蔽部５０に装着された正面図である。但し、図１ないし図３では、鉛ブロックＬＢ（遮蔽ブロック）がすべてむき出し状態で描かれているが、実際には両端面など一部がむき出しなままで、鉛ブロックＬＢの外装はステンレス製、鉄製又は樹脂製のカバーで覆われている。
【００１９】
鉛ブロックＬＢがカバーで覆われた実際の放射線遮蔽装置１００の外観は、図４、図５及び図６に描かれている。
図４は放射線遮蔽装置１００の六面図であり、（ａ）は正面図、（ｂ）は背面図、（ｃ）は左側面図、（ｄ）は右側面図、（ｅ）は平面図、そして（ｆ）は底面図となる。
図５は試料用放射線遮蔽部５０の六面図であり、（ａ）は正面図、（ｂ）は背面図、（ｃ）は左側面図、（ｄ）は右側面図、（ｅ）は平面図、そして（ｆ）は底面図となる。
図６は放射線遮蔽部１０（第１放射線遮蔽部１０Ａ及び第２放射線遮蔽部１０Ｂは同じ形状である。）の六面図であり、（ａ）は正面図、（ｂ）は背面図、（ｃ）は左側面図、（ｄ）は右側面図、（ｅ）は平面図、そして（ｆ）は底面図となる。
【００２０】
放射線遮蔽装置１００は、測定試料ＳＡから出た放射線が操作者を被曝させることのないよう測定試料ＳＡからの放射線を遮蔽する。また、放射線遮蔽装置１００は、高純度Ｇｅ検出器ＳＳが環境放射線（又は外部放射線とも言う）の影響を受けないように遮蔽するために使用される。但し、放射線遮蔽装置１００全体を完全に密封する必要はない。放射線は直進性が高いため、測定試料ＳＡから放射線が直進する位置が遮蔽されていれば、それ以外の位置に開口部が形成されていても良い。
【００２１】
試料用放射線遮蔽部５０、第１放射線遮蔽部１０Ａ及び第２放射線遮蔽部１０Ｂは、複数の鉛ブロックＬＢで構成されている。鉛ブロックＬＢは、遮蔽能力が高く、安価であることから良く用いられる。鉛ブロックＬＢは縦横高さが５×１０×２０ｃｍの大きさであり、１ブロックの重量が約１１ｋｇになる。これら鉛ブロックＬＢを積み重ねたり並べたりして放射線を遮蔽する壁を形成できる。積み上げた鉛ブロックＬＢは崩れないよう所要単位毎に不図示の鉄板で囲まれている。なお、鉛ブロックＬＢの多くはＪＩＳ規格で「Ｚ４８１７放射線遮へい用鉛ブロック」として規定されているものを使用している。ＪＩＳ規格以外の鉛ブロックは必要な寸法に合わせて加工されており，例えば、鉛ブロック５８は５×１０×１９．５ｃｍの大きさ、第１放射線遮蔽部１０Ａの最上段の角部の鉛ブロックは５×１０×７．５ｃｍである。
【００２２】
＜試料用放射線遮蔽部５０の構成＞
試料用放射線遮蔽部５０は、第１放射線遮蔽部１０Ａ及び第２放射線遮蔽部１０Ｂと接する両端以外には、鉛ブロックＬＢが積み重ねられている。すなわち、長手方向の側面、下面及び上面は鉛ブロックＬＢで覆われている。上面の一部にはスライド天板５２が設けられており、ガイドレール５４に沿ってスライド天板５２が移動可能である。スライド天板５２はその内部に鋳造鉛ブロックを有しており、スライド天板５２を閉めた状態では、測定試料ＳＡから出た放射線が外部に漏れ出ることはなく、環境放射線が試料用放射線遮蔽部５０の内部に入ることもない。
【００２３】
操作者は、スライド天板５２を開けて測定試料ＳＡを所定の位置に配置する。測定に際しては高純度Ｇｅ検出器ＳＳから測定試料ＳＡを一定の距離に保つ必要があり、測定試料ＳＡの種類によって配置位置は予め定められている。測定試料ＳＡと高純度Ｇｅ検出器ＳＳとの距離は、例えば［Ｆ−１８］ＦＤＧ水溶液の場合は１００ｃｍである。また、測定試料ＳＡが液体の場合にはガラス瓶に入った状態で収容される。試料用放射線遮蔽部５０には、高純度Ｇｅ検出器ＳＳからの距離が容易にわかるように１ｃｍ毎の目盛りが形成されている。このように測定試料ＳＡの種類に応じてスライド天板５２の開ける位置が異なるため、複数のスライド天板５２が長手方向に並んで設けられている。
【００２４】
試料用放射線遮蔽部５０は、操作者が立ったまま作業がし易いように中央テーブル６０に載置される。また、高純度Ｇｅ検出器ＳＳの高さと測定試料ＳＡとが同じ高さにするため中央テーブル６０には試料用放射線遮蔽部５０が載置される。なお、測定試料ＳＡが配置される高さは、床から約８０ｃｍに設定されている。
【００２５】
また、本実施例では２つの高純度Ｇｅ検出器ＳＳを備えているため、図３に開示するように、使用しない側に測定試料ＳＡからの放射線が漏れ出ないよう遮蔽板５６を挿入できるようになっている。使用しない高純度Ｇｅ検出器ＳＳと測定試料ＳＡとが近い距離になっているので高純度Ｇｅ検出器ＳＳを保護する必要もある。他方の高純度Ｇｅ検出器ＳＳを使用する場合には、図３の点線で示した位置に遮蔽板５６を挿入する。遮蔽板５６は鉛で構成され、その遮蔽板５６の厚みは測定試料ＳＡの放射能量に応じて調整すれば良い。
【００２６】
試料用放射線遮蔽部５０の両端側の下部には、端面から延びた位置に鉛ブロック５８が設けられている。この延びた位置の鉛ブロック５８を支えるため、中央テーブル６０から延びた金属板６７が設けられている。
【００２７】
＜第１放射線遮蔽部１０Ａ及び第２放射線遮蔽部１０Ｂの構成＞
第１放射線遮蔽部１０Ａ及び第２放射線遮蔽部１０Ｂは同じ構成であるため、第１放射線遮蔽部１０Ａを代表して説明する。
第１放射線遮蔽部１０Ａの側面及び上面は鉛ブロックＬＢで覆われている。下面側は高純度Ｇｅ検出器ＳＳが挿入されるため鉛ブロックＬＢが設けられていない。
【００２８】
第１放射線遮蔽部１０Ａの下面に鉛ブロックＬＢが設けられていないため、図３に示すように、第１放射線遮蔽部１０Ａ側は試料用放射線遮蔽部５０と当接したときに開口部ＯＰが形成されるようになる。その開口部ＯＰが大きいと環境放射線が高純度Ｇｅ検出器ＳＳに入り込むことになるが、試料用放射線遮蔽部５０から突き出た鉛ブロック５８が環境放射線を遮っている。
【００２９】
第１放射線遮蔽部１０Ａは、移動テーブルの一態様である移動二段テーブル２０の上段テーブルに載置されており、また高純度Ｇｅ検出器ＳＳを備えるデュワー瓶ＮＴは移動二段テーブル２０の下段テーブルに載置されている。移動二段テーブル２０の底フレームには、ブレーキ付きキャスター２２が設けられている。このため操作者は小さな力で第１放射線遮蔽部１０Ａ及び高純度Ｇｅ検出器ＳＳを備えるデュワー瓶ＮＴを移動させることができる。
【００３０】
図７は、第１放射線遮蔽部１０Ａが試料用放射線遮蔽部５０に装着された際の高純度Ｇｅ検出器ＳＳの周辺拡大図である。
【００３１】
高純度Ｇｅ検出器ＳＳは、デュワー瓶ＮＴから冷却ロッドが９０度曲がった位置に取り付けられているので、第１放射線遮蔽部１０Ａが試料用放射線遮蔽部５０の端面に装着されると、試料用放射線遮蔽部５０から延びた鉛ブロック５８は高純度Ｇｅ検出器ＳＳの下面に入り込み、高純度Ｇｅ検出器ＳＳとデュワー瓶ＮＴとを結ぶ冷却ロッド近傍まで入る。冷却ロッドが存在するため、そこに鉛ブロックＬＢを設けることができない。しかし、測定試料ＳＡからの放射線ＲＲを外部に出ることを遮断することもできるし、また環境放射線ＥＲが高純度Ｇｅ検出器ＳＳに到達することを防ぐこともできる。
【００３２】
図７（ａ）は、測定試料ＳＡを高純度Ｇｅ検出器ＳＳから１００ｃｍ離れた位置に配置した例である。試料用放射線遮蔽部５０から延びた鉛ブロック５８の存在により、測定試料ＳＡからの放射線ＲＲは一点鎖線で示すように、第１放射線遮蔽部１０Ａの鉛ブロックＬＢで遮蔽される。また、図７（ｂ）は、測定試料ＳＡを高純度Ｇｅ検出器ＳＳから２５ｃｍ離れた位置に配置した例であるが、このように測定試料ＳＡを最短の配置位置に配置しても、測定試料ＳＡからの放射線ＲＲは一点鎖線で示すように、第１放射線遮蔽部１０Ａの鉛ブロックＬＢ又は試料用放射線遮蔽部５０の鉛ブロック５８で遮蔽される。図示しないが、操作者が誤って測定試料ＳＡを高純度Ｇｅ検出器ＳＳから１ｃｍしか離れていない位置に配置したとしても、測定試料ＳＡからの放射線ＲＲは開口部ＯＰから外部に出ることはない。
【００３３】
また、二点鎖線で示す環境放射線ＥＲはさまざまな角度から開口部ＯＰを経由して第１放射線遮蔽部１０Ａ内に侵入する。しかし、試料用放射線遮蔽部５０から延びた鉛ブロック５８の存在により、環境放射線ＥＲが高純度Ｇｅ検出器ＳＳの検出面に入ることがない。
【００３４】
上述したように、試料用放射線遮蔽部５０の両端側の下部に端面から延びた位置に鉛ブロック５８が設けられている。この鉛ブロック５８を移動二段テーブル２０側に載置することもできる。しかし、移動二段テーブル２０側に高純度Ｇｅ検出器ＳＳの直下に鉛ブロックＬＢがあると、鉛ブロックを外さない限り高純度Ｇｅ検出器ＳＳを第１放射線遮蔽部１０Ａから取り出すことはできない。そこで、第１放射線遮蔽部１０Ａが試料用放射線遮蔽部５０に装着された際に、高純度Ｇｅ検出器ＳＳの直下に鉛ブロック５８が配置されるように、試料用放射線遮蔽部５０側に鉛ブロック５８を設けている。
【００３５】
＜中央テーブル６０及び移動二段テーブル２０の構成＞
中央テーブル６０には結合手段であるキャッチクリップ６８が設けられており、移動二段テーブル２０にはフック２８が設けられている。第１放射線遮蔽部１０Ａが試料用放射線遮蔽部５０の端面に装着される際に、キャッチクリップ６８とフック２８とによって中央テーブル６０に移動二段テーブル２０が固定される。中央テーブル６０と移動二段テーブル２０とを装着すると、試料用放射線遮蔽部５０の鉛ブロックＬＢと第１放射線遮蔽部１０Ａの鉛ブロックＬＢとが当接し、測定試料ＳＡからの放射線が外部に出ることを防ぐとともに、環境放射線ＥＲが高純度Ｇｅ検出器ＳＳに到達することを防ぐ。また、測定試料ＳＡと高純度Ｇｅ検出器ＳＳとの距離を所定距離に位置決めすることができる。中央テーブル６０から移動二段テーブル２０を分離する際にはキャッチクリップ６８を取り外す。容易に着脱可能な機能を有していれば、キャッチクリップ６８以外に磁石・ワンタッチクリップ等を使用することができる。中央テーブル６０にフック２８が設けられ、移動二段テーブル２０にキャッチクリップ６８が設けられるように構成してもよい。
【００３６】
本実施例では中央テーブル６０は高さのみを可変できるように可変アンカーボルト１８が中央テーブル６０の底フレームに設けられている。しかし、中央テーブル６０も移動できるようにキャスター２２が設けられていても良い。
【００３７】
図８は、移動二段テーブル２０の下段テーブルから高純度Ｇｅ検出器ＳＳを備えるデュワー瓶ＮＴを取り出す際の斜視図である。移動二段テーブル２０の下段テーブルには摺動部材であるスライドレール２７が設けられており、スライドレール２７は、フッ素入りＰＯＭ（ポリオキシメチレン）樹脂成形板等の滑りやすい材料でできている．スライドレール２７上にはデュワー瓶ＮＴを支える支持台２５が載置される。支持台２５は下板２５Ａと上板２５Ｂとで構成され、上板２５Ａに高さ調整ネジ２４が設けられている。高さ調整ネジ２４をネジ込むと上板２５Ａの高さが上がり、緩めると上板２５Ａの高さが下がる。つまり支持台２５は高さ調整ネジ２４でデュワー瓶ＮＴの高さを変えることができる。デュワー瓶ＮＴの高さを変えることで高純度Ｇｅ検出器ＳＳの高さを測定試料ＳＡの高さと任意に合わせることができる、即ち第１検出器と測定すべき測定試料ＳＡの測定中心とを結ぶ直線を水平にすることができる。
【００３８】
搬送テーブル３０及び移動二段テーブル２０の底フレームには、可変アンカーボルト１８及びブレーキ付きキャスター２２が設けられている。さらに搬送用に使用される搬送テーブル３０にも、フッ素入りＰＯＭ樹脂成形板等の滑りやすい材質でできた摺動部材であるスライドレール３７が設置されている。スライドレール２７及びスライドレール３７と支持台２５との摩擦係数が小さいため操作者はデュワー瓶ＮＴを載置した支持台２５をその状態のまま搬送テーブル３０に移設することができる。スライドレール２７又はスライドレール３７は、支持台２５が滑らかに移動できるよう車輪等の機構を使っても良いが，本実施例のように摩擦係数の小さい材質を組合せることは，機構が単純になり測定システム全高をおさえるのに都合がよい。
【００３９】
＜放射線遮蔽装置１００の動作＞
次に、試料用放射線遮蔽部５０に第１放射線遮蔽部１０Ａを取り付ける動作について説明する。
まず、図８に示されるように、校正された高純度Ｇｅ検出器ＳＳを有するデュワー瓶ＮＴが搬送テーブル３０に載置されている。操作者は搬送テーブル３０を移動二段テーブル２０の下段テーブルに隣接させる。この状態で、搬送テーブル３０のブレーキ付キャスター２２のブレーキをかけ、また移動二段テーブル２０のブレーキをかける。支持台２５に載置されたデュワー瓶ＮＴはスライドレール２７に沿って搬送テーブル３０から移動二段テーブル２０の下段テーブルに移動させられる。
【００４０】
その後操作者は、移動二段テーブル２０のブレーキを解除して、移動二段テーブル２０に載置されたデュワー瓶ＮＴを中央テーブル６０の一端に移動させる。そして、操作者は中央テーブル６０のキャッチクリップ６８と移動二段テーブル２０のフック２８とを結合する。このようにして、試料用放射線遮蔽部５０の鉛ブロックＬＢと第１放射線遮蔽部１０Ａの鉛ブロックＬＢとが当接する。試料用放射線遮蔽部５０の下部の端面から飛び出るように鉛ブロック５８が設けられているので、環境放射線が高純度Ｇｅ検出器ＳＳに届くことがない。これまでは鉛ブロックＬＢを積み重ねたりしていたが、一度も鉛ブロックＬＢを積み重ねたりすることなく、高純度Ｇｅ検出器ＳＳをセットすることができる。
【００４１】
次に操作者は、支持台の高さ調整ネジ２４を回転させて、高純度Ｇｅ検出器ＳＳの高さを測定試料ＳＡと同じ高さになるように調整する。この時点で測定試料ＳＡは試料用放射線遮蔽部５０の所定位置に載置されていないが、測定試料ＳＡの高さが予めわかっているのでその高さに調整する。試料用放射線遮蔽部５０の鉛ブロックＬＢと第１放射線遮蔽部１０Ａの鉛ブロックＬＢとが当接する前に、高純度Ｇｅ検出器ＳＳの高さを調整しても良い。
【００４２】
次に操作者は、今回装着した高純度Ｇｅ検出器ＳＳ側の遮蔽板５６を取り外す。そしてスライド天板５２の一部をガイドレール５４に沿って開けて測定試料ＳＡを所定位置に載置する。その後スライド天板５２を閉める。第１放射線遮蔽部１０Ａ及び試料用放射線遮蔽部５０の鉛ブロックＬＢによって、測定試料ＳＡからの放射線は遮断され外部に漏れ出ることがない。その後、操作者は高純度Ｇｅ検出器ＳＳからの放射線のスペクトルを測定する。
【００４３】
測定が終了して高純度Ｇｅ検出器ＳＳを点検する場合又は故障の場合は、これらの順序を逆に行えば放射線遮蔽装置１００から高純度Ｇｅ検出器ＳＳを有するデュワー瓶ＮＴを取り出すことができる。この場合でも、個々の鉛ブロックＬＢを取り外す必要はないため、高純度Ｇｅ検出器ＳＳを冷却したまま容易に高純度Ｇｅ検出器ＳＳを搬出することが可能である。
【００４４】
本実施例の放射線遮蔽装置１００は２つの高純度Ｇｅ検出器ＳＳを備えているため、一方の高純度Ｇｅ検出器ＳＳを搬出する際にも、他方の高純度Ｇｅ検出器ＳＳを使用することができる。これによって、急遽一方の高純度Ｇｅ検出器ＳＳを点検や修理しなければならなくなった場合でも、直ちに他方の高純度Ｇｅ検出器ＳＳを使用できる。このため放射性医薬品の生産・品質管理に与える影響を最小限とすることができる。
【００４５】
＜移動一段テーブル４０の構成＞
図９は、第１放射線遮蔽部１０Ａが、移動テーブルの一態様である移動一段テーブル４０に載置されている実施例の斜視図である。図８で示した同じ部材には同じ番号を付している。移動一段テーブル４０は、図８に示した移動二段テーブル２０と異なり、デュワー瓶ＮＴを載置する下段テーブルを有していない。
【００４６】
その代わりに、検出装置載置テーブル４５が高純度Ｇｅ検出器ＳＳを備えるデュワー瓶ＮＴを載置している。検出装置載置テーブル４５の底フレームには、ブレーキ付きキャスター２２が設けられ、高純度Ｇｅ検出器ＳＳを備えるデュワー瓶ＮＴ自身が移動可能になっている。検出装置載置テーブル４５は移動一段テーブル４０内部に入り込む大きさになっている。したがって図８で開示したように、操作者が移動二段テーブル２０から搬送テーブル３０へスライドレール２７及び３７を介してデュワー瓶ＮＴを移動させる必要がなくなる。その一方、移動一段テーブル４０と検出装置載置テーブル４５との位置関係を固定させる必要が生じる。このため、接合部であるワンタッチクリップ４２が移動一段テーブル４０の下部フレーム枠に設けられており、ワンタッチクリップ４２が検出装置載置テーブル４５のフック（不図示）と接合する。
【００４７】
校正された高純度Ｇｅ検出器ＳＳを有するデュワー瓶ＮＴが検出装置載置テーブル４５に載置された状態から、操作者は検出装置載置テーブル４５を移動一段テーブル４０に当接させる。この状態で、操作者は移動一段テーブル４０のワンタッチクリップ４２と検出装置載置テーブル４５のフックとを接合する。このように移動一段テーブル４０と検出装置載置テーブル４５とを一体化させてから、移動一段テーブル４０及び検出装置載置テーブル４５を中央テーブル６０の一端に移動させる。その後の動作は、＜放射線遮蔽装置１００の動作＞で説明したと同様である。図９に示した実施例の場合でも、鉛ブロックＬＢを取り外したり積み重ねたりする必要がない。
【００４８】
図示しないが、検出装置載置テーブル４５を中央テーブル６０の一端に移動させ、ワンタッチクリップで検出装置載置テーブル４５を中央テーブル６０に固定し、別途移動一段テーブル４０を中央テーブル６０の一端に移動させ、移動一段テーブル４０を中央テーブル６０にキャッチクリップ６８で固定させてもよい。
【産業上の利用可能性】
【００４９】
本実施例の放射線遮蔽装置１００では、複数の鉛ブロックＬＢを積み重ねて試料用放射線遮蔽部５０、第１放射線遮蔽部１０Ａ及び第２放射線遮蔽部１０Ｂ筺体を構成したが、一体型の鉛鋳造物で構成してもよい。
【００５０】
また、試料用放射線遮蔽部５０の両端に高純度Ｇｅ検出器ＳＳを配置する構成にしたが、一方の端のみに高純度Ｇｅ検出器ＳＳを配置する構成であってもよい。
図１０は、別の放射線遮蔽装置１１０を示した正面図である。図１などと同じ部材には同じ符号を付している。
【００５１】
別の放射線遮蔽装置１１０は、片側が鉛ブロック５９で遮蔽された別の試料用放射線遮蔽部５１を備えている。試料用放射線遮蔽部５１は、２つの高純度Ｇｅ検出器ＳＳを切り替える必要がないので遮蔽板５６を有しておらず、また鉛ブロック５９で遮蔽された側には延びた位置に配置される鉛ブロック５８を有していない。この別の放射線遮蔽装置１１０は、１つの高純度Ｇｅ検出器ＳＳしかないのでこの高純度Ｇｅ検出器ＳＳの校正などに時間がかかると、その間測定試料ＳＡの測定が中断される。しかし、別の放射線遮蔽装置１１０は１つの高純度Ｇｅ検出器ＳＳを用意すればよいので、全体として安価な製造コストで用意することができる。
【図面の簡単な説明】
【００５２】
【図１】放射線遮蔽装置１００の斜視図である。
【図２】（ａ）放射線遮蔽装置１００の上面図である。  （ｂ）一部を切り欠いた正面図である。
【図３】第１放射線遮蔽部１０Ａ及び第２放射線遮蔽部１０Ｂが試料用放射線遮蔽部５０に装着された正面図である。
【図４】放射線遮蔽装置１００の六面図である。
【図５】試料用放射線遮蔽部５０の六面図である。
【図６】放射線遮蔽部１０の六面図である。
【図７】第１放射線遮蔽部１０Ａが試料用放射線遮蔽部５０に装着された際の高純度Ｇｅ検出器ＳＳの周辺拡大図である。  （ａ）測定試料ＳＡを高純度Ｇｅ検出器ＳＳから１００ｃｍ離れた位置に配置した例である。  （ｂ）測定試料ＳＡを高純度Ｇｅ検出器ＳＳから２５ｃｍ離れた位置に配置した例である。
【図８】移動二段テーブル２０の下段テーブルから高純度Ｇｅ検出器ＳＳを備えるデュワー瓶ＮＴを取り出す際の斜視図である。
【図９】第１放射線遮蔽部１０が移動一段テーブル４０に載置されている実施例の斜視図である。
【図１０】片側が遮蔽されている別の試料用放射線遮蔽部５１に第１放射線遮蔽部１０Ａを備えた別の放射線遮蔽装置１１０の正面図である。
【符号の説明】
【００５３】
１０Ａ  …  第１放射線遮蔽部
１０Ｂ  …  第２放射線遮蔽部
１８    …  可変アンカーボルト
２０    …  移動テーブル（２０Ａ，２０Ｂ  …  移動二段テーブル）
２２    …  キャスター
２４    …  調整ネジ
２５    …  支持台  （２５Ａ  …  下板，２５Ｂ  …  上板）
２７    …  スライドレール
２８    …  フック
３０    …  搬送テーブル
３７    …  スライドレール
４０    …  移動一段テーブル
４２    …  ワンタッチクリップ
４５    …  検出装置載置テーブル
５０    …  試料用放射線遮蔽部
５２    …  スライド天板
５４    …  ガイドレール
５６    …  遮蔽板
６０    …  中央テーブル
６８    …  キャッチクリップ
１００  …  放射線遮蔽装置
ＥＲ    …  環境放射線
ＬＢ    …  鉛ブロック，  ５８    …  鉛ブロック
ＮＴ    …  デュワー瓶
ＯＰ    …  開口部
ＲＲ    …  放射線
ＳＡ    …  測定試料
ＳＳ    …  検出器
【図１】
2008298574.tif 000003
【図２】
2008298574.tif 000004
【図３】
2008298574.tif 000005
【図４】
2008298574.tif 000006
【図５】
2008298574.tif 000007
【図６】
2008298574.tif 000008
【図７】
2008298574.tif 000009
【図８】
2008298574.tif 000010
【図９】
2008298574.tif 000011
【図１０】
2008298574.tif 000012